(57)【要約】【課題】変調方式を精度よく検出する。【解決手段】ベースバンド信号をキャリア信号により変調した変調信号を受信する受信装置であって、変調信号をキャリア信号により直交復調した復調信号を出力する復調部と、復調信号の複数の観測値のそれぞれから、同相成分および直交成分を直交座標上に表した場合において、原点からの距離が第１閾値未満となる観測値を除去して出力する第１除去部と、第１除去部が出力する各観測値に基づいて、変調信号の変調方式を検出する検出部とを備える受信装置を提供する。【選択図】図１
2008028660.tif 000002
【特許請求の範囲】
【請求項１】
ベースバンド信号をキャリア信号により変調した変調信号を受信する受信装置であって、
変調信号をキャリア信号により直交復調した復調信号を出力する復調部と、
前記復調信号の複数の観測値のそれぞれから、同相成分および直交成分を直交座標上に表した場合において、原点からの距離が第１閾値未満となる観測値を除去して出力する第１除去部と、
前記第１除去部が出力する各観測値に基づいて、前記変調信号の変調方式を検出する検出部と
を備える受信装置。
【請求項２】
前記第１除去部が出力する各観測値から、同相成分および直交成分を直交座標上に表した場合において、原点からの距離が前記検出部が検出した変調方式に対応して予め設定された第２閾値未満となる観測値を除去して出力する第２除去部と、
前記第２除去部が出力する各観測値に基づいて、前記変調信号の品質を判定する判定部と
を更に備える請求項１に記載の受信装置。
【請求項３】
前記検出部が検出した前記変調方式において、各信号値に対応する前記直交座標上の各信号点を中心として最も近い他の信号点との間の距離の１／２を半径とする円を設けた場合に、原点を中心して他の円と交わらない最大の円の半径を当該変調方式の前記第２閾値として設定する第２閾値設定部を更に備える請求項２に記載の受信装置。
【請求項４】
前記検出部が検出した前記変調方式において、各信号値に対応する前記直交座標上の各信号点、および、原点を中心として、同一半径の円を設けた場合に、いずれの円も交わらない最大の半径を当該変調方式の前記第２閾値として設定する第２閾値設定部を更に備える請求項２に記載の受信装置。
【請求項５】
前記第１除去部は、前記検出部が検出する複数の前記変調方式のそれぞれに対応する前記第２閾値のうち、最小の前記第２閾値を前記第１閾値とする請求項３または請求項４に記載の受信装置。
【請求項６】
前記検出部が検出する前記複数の変調方式は、ＢＰＳＫ、ＱＰＳＫ、１６ＱＡＭのうち少なくとも１つと、６４ＱＡＭとからなり、前記第１除去部は、６４ＱＡＭに対応する前記第２閾値を前記第１閾値とする請求項５に記載の受信装置。
【請求項７】
前記変調信号は、予め定められた基準信号値および前記ベースバンド信号に応じた信号値をそれぞれ変調して生成され、
前記復調信号における前記基準信号値に対応する観測値に基づいて、前記ベースバンド信号に応じた信号値に対応する観測値を正規化する正規化部を更に備える請求項２に記載の受信装置。
【請求項８】
前記検出部は、複数の前記変調方式のそれぞれのうち、前記第１除去部が出力するそれぞれの観測値に対応する前記直交座標上の観測点と、当該変調方式における各信号値に対応する前記直交座標上の各信号点のうち前記観測点に最も近い信号点との間の距離に基づく誤差を最小とする変調方式を、前記変調信号の変調方式として検出する請求項２に記載の受信装置。
【請求項９】
当該受信装置は、複数のベースバンド信号を複数のサブキャリア信号により変調した複数の変調信号を受信し、
前記復調部は、前記複数の変調信号のそれぞれを対応するサブキャリア信号により直交復調した複数の復調信号を出力し、
前記第１除去部は、前記複数の復調信号のそれぞれにおける各観測値から、同相成分および直交成分を直交座標上に表した場合において、原点からの距離が第１閾値未満となる観測値を除去して出力し、
前記検出部は、前記第１除去部が出力する前記複数の復調信号のそれぞれにおける各観測値に基づいて、前記複数の変調信号のそれぞれの変調方式を検出し、
前記第２除去部は、前記第１除去部が出力する前記複数の復調信号のそれぞれにおける各観測値から、同相成分および直交成分を直交座標上に表した場合において、原点からの距離が前記検出部が検出した変調方式に対応して予め設定された第２閾値未満となる観測値を除去して出力し、
前記判定部は、前記第２除去部が出力する前記複数の復調信号のそれぞれにおける各観測値に基づいて、前記複数の変調方式の品質を判定する請求項２に記載の受信装置。
【請求項１０】
前記複数のベースバンド信号のうち同一の前記変調方式により変調される前記ベースバンド信号の組を、ベースバンド周期毎に予め格納する格納部を更に備え、
前記判定部は、同一の前記変調方式により変調される前記ベースバンド信号の組に対応する２以上の前記第２除去部がそれぞれ出力する各観測値に基づいて、同一の前記変調方式により変調された２以上の前記変調信号の品質を判定する請求項２に記載の受信装置。
【請求項１１】
ベースバンド信号をキャリア信号により変調した変調信号を受信装置により受信する受信方法であって、
変調信号をキャリア信号により直交復調した復調信号を出力する復調段階と、
前記復調信号の複数の観測値のそれぞれから、同相成分および直交成分を直交座標上に表した場合において、原点からの距離が第１閾値未満となる観測値を除去して出力する第１除去段階と、
前記第１除去段階が出力する各観測値に基づいて、前記変調信号の変調方式を検出する検出段階と
を備える受信方法。
【請求項１２】
ベースバンド信号をキャリア信号により変調した変調信号を受信する受信装置を制御するプログラムであって、
当該プログラムは、前記受信装置を、
変調信号をキャリア信号により直交復調した復調信号を出力する復調部と、
前記復調信号の複数の観測値のそれぞれから、同相成分および直交成分を直交座標上に表した場合において、原点からの距離が第１閾値未満となる観測値を除去して出力する第１除去部と、
前記第１除去部が出力する各観測値に基づいて、前記変調信号の変調方式を検出する検出部と
して機能させるプログラム。
【請求項１３】
請求項１２に記載のプログラムを記録した、コンピュータにより読み取り可能な記録媒体。
【発明の詳細な説明】
【技術分野】
【０００１】
本発明は、受信装置、受信方法、プログラムおよび記録媒体に関する。特に本発明は、ベースバンド信号をキャリア信号により変調した変調信号を受信する受信装置、受信方法、プログラムおよび記録媒体に関する。
【背景技術】
【０００２】
従来より、ＯＦＤＭ信号を受信する受信装置が知られている。ＯＦＤＭ受信装置は、ＯＦＤＭ信号を復調する場合において、ＯＦＤＭ信号の各サブキャリア信号がいずれの変調方式で変調されているかを検出する。特許文献１には、各変調方式の理想信号点と受信信号点との誤差を利用して、ＯＦＤＭ信号の各サブキャリア信号がいずれの変調方式で変調されているかを検出することができる受信装置が開示されている。
【０００３】
図８は、サブキャリアの変調方式が所定シンボル毎に切り替る場合における、サブキャリアの変調方式の一例を示す。ＯＦＤＭ信号を利用した通信方式として、ＩＥＥＥ８０２．１６ｅ規格が知られている。ＩＥＥＥ８０２．１６ｅ規格に準じたＯＦＤＭ信号は、図８に示すように、サブキャリア毎に変調方式が異なることが許容され、また、所定シンボル数毎に各サブキャリアの変調方式が変更されることが許容される。さらに、ＩＥＥＥ８０２．１６ｅ規格に準じたＯＦＤＭ信号は、一部のサブキャリアに信号を出力しない期間を含むことが許容される。
【特許文献１】特開２００４−３５０２１８号公報
【発明の開示】
【発明が解決しようとする課題】
【０００４】
ところで、サブキャリアに信号を出力しない期間の受信値は単なるノイズであるので、従来の受信装置は、一部のサブキャリアに信号を出力しない期間を含むＯＦＤＭ信号に対して変調方式を検出すると、誤った変調方式を検出する可能性がある。
【０００５】
そこで本発明は、上記の課題を解決することのできる受信装置、受信方法、プログラムおよび記録媒体を提供することを目的とする。この目的は特許請求の範囲における独立項に記載の特徴の組み合わせにより達成される。また従属項は本発明の更なる有利な具体例を規定する。
【課題を解決するための手段】
【０００６】
上記課題を解決するために、本発明の第１形態においては、ベースバンド信号をキャリア信号により変調した変調信号を受信する受信装置であって、変調信号をキャリア信号により直交復調した復調信号を出力する復調部と、復調信号の複数の観測値のそれぞれから、同相成分および直交成分を直交座標上に表した場合において、原点からの距離が第１閾値未満となる観測値を除去して出力する第１除去部と、第１除去部が出力する各観測値に基づいて、変調信号の変調方式を検出する検出部とを備える受信装置を提供する。
【０００７】
当該受信装置は、第１除去部が出力する各観測値から、同相成分および直交成分を直交座標上に表した場合において、原点からの距離が検出部が検出した変調方式に対応して予め設定された第２閾値未満となる観測値を除去して出力する第２除去部と、第２除去部が出力する各観測値に基づいて、変調信号の品質を判定する判定部とを更に備えてよい。
【０００８】
当該受信装置は、検出部が検出した変調方式において、各信号値に対応する直交座標上の各信号点を中心として最も近い他の信号点との間の距離の１／２を半径とする円を設けた場合に、原点を中心して他の円と交わらない最大の円の半径を当該変調方式の第２閾値として設定する第２閾値設定部を更に備えてよい。
【０００９】
当該受信装置は、検出部が検出した変調方式において、各信号値に対応する直交座標上の各信号点、および、原点を中心として、同一半径の円を設けた場合に、いずれの円も交わらない最大の半径を当該変調方式の第２閾値として設定する第２閾値設定部を更に備えてよい。
【００１０】
第１除去部は、検出部が検出する複数の変調方式のそれぞれに対応する第２閾値のうち、最小の第２閾値を第１閾値としてよい。検出部が検出する複数の変調方式は、ＢＰＳＫ、ＱＰＳＫ、１６ＱＡＭのうち少なくとも１つと、６４ＱＡＭとからなり、第１除去部は、６４ＱＡＭに対応する第２閾値を第１閾値としてよい。
【００１１】
変調信号は、予め定められた基準信号値およびベースバンド信号に応じた信号値をそれぞれ変調して生成され、受信装置は、復調信号における基準信号値に対応する観測値に基づいて、ベースバンド信号に応じた信号値に対応する観測値を正規化する正規化部を更に備えてよい。
【００１２】
検出部は、複数の変調方式のそれぞれのうち、第１除去部が出力するそれぞれの観測値に対応する直交座標上の観測点と、当該変調方式における各信号値に対応する直交座標上の各信号点のうち観測点に最も近い信号点との間の距離に基づく誤差を最小とする変調方式を、変調信号の変調方式として検出してよい。
【００１３】
当該受信装置は、複数のベースバンド信号を複数のサブキャリア信号により変調した複数の変調信号を受信し、復調部は、複数の変調信号のそれぞれを対応するサブキャリア信号により直交復調した複数の復調信号を出力し、第１除去部は、複数の復調信号のそれぞれにおける各観測値から、同相成分および直交成分を直交座標上に表した場合において、原点からの距離が第１閾値未満となる観測値を除去して出力し、検出部は、第１除去部が出力する複数の復調信号のそれぞれにおける各観測値に基づいて、複数の変調信号のそれぞれの変調方式を検出し、第２除去部は、第１除去部が出力する複数の復調信号のそれぞれにおける各観測値から、同相成分および直交成分を直交座標上に表した場合において、原点からの距離が検出部が検出した変調方式に対応して予め設定された第２閾値未満となる観測値を除去して出力し、判定部は、第２除去部が出力する複数の復調信号のそれぞれにおける各観測値に基づいて、複数の変調方式の品質を判定してよい。
【００１４】
当該受信装置は、複数のベースバンド信号のうち同一の変調方式により変調されるベースバンド信号の組を、ベースバンド周期毎に予め格納する格納部を更に備え、判定部は、同一の変調方式により変調されるベースバンド信号の組に対応する２以上の第２除去部がそれぞれ出力する各観測値に基づいて、同一の変調方式により変調された２以上の変調信号の品質を判定してよい。
【００１５】
本発明の第２形態においては、ベースバンド信号をキャリア信号により変調した変調信号を受信装置により受信する受信方法であって、変調信号をキャリア信号により直交復調した復調信号を出力する復調段階と、復調信号の複数の観測値のそれぞれから、同相成分および直交成分を直交座標上に表した場合において、原点からの距離が第１閾値未満となる観測値を除去して出力する第１除去段階と、第１除去段階が出力する各観測値に基づいて、変調信号の変調方式を検出する検出段階とを備える受信方法を提供する。
【００１６】
本発明の第３形態においては、ベースバンド信号をキャリア信号により変調した変調信号を受信する受信装置を制御するプログラムであって、当該プログラムは、受信装置を、変調信号をキャリア信号により直交復調した復調信号を出力する復調部と、復調信号の複数の観測値のそれぞれから、同相成分および直交成分を直交座標上に表した場合において、原点からの距離が第１閾値未満となる観測値を除去して出力する第１除去部と、第１除去部が出力する各観測値に基づいて、変調信号の変調方式を検出する検出部として機能させるプログラムを提供する。
【００１７】
本発明の第４形態においては、本発明の第３形態のプログラムを記録した、コンピュータにより読み取り可能な記録媒体を提供する。
【００１８】
なお、上記の発明の概要は、本発明の必要な特徴の全てを列挙したものではなく、これらの特徴群のサブコンビネーションもまた、発明となりうる。
【発明の効果】
【００１９】
本発明によれば、変調方式を精度よく検出することができる。
【発明を実施するための最良の形態】
【００２０】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００２１】
図１は、本実施形態に係る受信装置１０の構成を電子デバイス１００とともに示す。受信装置１０は、複数のベースバンド信号を複数のサブキャリア信号により変調した複数の変調信号を、電子デバイス１００から受信する。受信装置１０は、一例として、所定シンボル毎およびサブキャリア信号毎に変調方式（例えば、ＢＰＳＫ、ＱＰＳＫ、１６ＱＡＭまたは６４ＱＡＭ等）が切り替わる可能性があるＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）信号を、変調信号として電子デバイス１００から受信してよい。
【００２２】
受信装置１０は、復調部２０と、正規化部２２と、第１除去部２４と、検出部２６と、第２閾値設定部２８と、第２除去部３０と、格納部３２と、判定部３４とを備える。復調部２０は、複数の変調信号のそれぞれを対応するサブキャリア信号により直交復調した複数の復調信号を出力する。当該受信装置１０がＯＦＤＭ信号を受信する場合、復調部２０は、一例として、受信信号を所定のキャリア周波数で直交復調し、直交復調後の時間領域のＯＦＤＭ信号をＦＦＴ演算することにより、複数の復調信号を出力してよい。
【００２３】
正規化部２２は、復調部２０により複数のサブキャリア信号から復調された複数の復調信号を入力する。正規化部２２は、複数の復調信号における基準信号値に対応する観測値に基づいて、ベースバンド信号に応じた信号値に対応する観測値を正規化する。ここで、変調信号は、予め定められた基準信号値およびベースバンド信号に応じた信号値を、それぞれ変調して生成される。例えばＯＦＤＭ信号は、所定のシンボルにおける所定のサブキャリア信号に予め定められた位相および振幅の基準信号値（例えばパイロット信号）が変調される。従って、当該受信装置１０がＯＦＤＭ信号を受信する場合、正規化部２２は、一例として、復調部２０が出力した複数の復調信号における所定のシンボルおよびサブキャリア信号に変調された基準信号値（例えばパイロット信号）に対応する観測値を検出し、検出した基準信号値に対応する観測値により他の観測値を正規化してよい。正規化部２２は、観測値を正規化することにより、伝送により生じた位相回転および振幅変動を補正することができる。
【００２４】
第１除去部２４は、正規化部２２により正規化された複数の復調信号を入力する。そして、第１除去部２４は、複数の復調信号のそれぞれにおける各観測値から、同相成分および直交成分を直交座標上に表した場合において、すなわち、複数の復調信号のそれぞれにおける各観測値を信号空間ダイヤグラムに表した場合において、原点からの距離が第１閾値未満となる観測値を除去して出力する。ここで、複数のサブキャリア信号により変調される複数の変調信号のうちの一部の変調信号が電子デバイス１００から出力されていない場合（電子デバイス１００が出力を停止していた場合）、当該出力されていない変調信号に対応する復調信号の観測値は、原点の近傍の値となる。従って、第１除去部２４は、原点からの距離が第１閾値未満となる観測値を除去することにより、電子デバイス１００から変調信号が出力されていない期間における復調信号の観測値を除去することができる。例えば、当該受信装置１０がＯＦＤＭ信号を受信する場合、第１除去部２４は、複数のサブキャリア信号のうち一部のサブキャリア信号の出力が停止している場合、当該出力が停止されているサブキャリア信号から復調された観測値を、除去することができる。
【００２５】
検出部２６は、第１除去部２４が出力する複数の復調信号のそれぞれにおける各観測値に基づいて、複数の変調信号のそれぞれの変調方式を検出する。検出部２６は、一例として、変調信号が、ＢＰＳＫ、ＱＰＳＫ、１６ＱＡＭまたは６４ＱＡＭのいずれの変調方式で変調されていたかを検出する。例えば当該受信装置１０がＯＦＤＭ信号を受信する場合、検出部２６は、複数のサブキャリア信号に変調されていた複数の変調信号のそれぞれが、ＢＰＳＫ、ＱＰＳＫ、１６ＱＡＭまたは６４ＱＡＭのいずれの変調方式で変調されていたかを検出してよい。検出部２６は、一例として、各変調方式における理想信号点と復調信号の観測値との誤差を一定期間平均して、当該平均が最も小さくなる変調方式を、当該復調信号に対応する変調信号の変調方式として検出してよい。
【００２６】
ここで、検出部２６が入力する復調信号は、第１除去部２４によって、電子デバイス１００から変調信号が出力されていない期間における復調信号の観測値が除去されている。すなわち、検出部２６は、ノイズとなる観測値が除去された復調信号に基づき、変調方式を検出する。従って、検出部２６は、正確に変調方式を検出することができる。
【００２７】
第２閾値設定部２８は、検出部２６が検出した変調方式に応じた第２閾値を、第２除去部３０に対して設定する。第２閾値設定部２８は、一例として、ＢＰＳＫ、ＱＰＳＫ、１６ＱＡＭおよび６４ＱＡＭのそれぞれに対応した第２閾値を予め記憶する。そして、第２閾値設定部２８は、検出部２６が検出した変調方式に応じて、記憶しているいずれかの第２閾値を第２除去部３０に対して設定してよい。当該受信装置１０がＯＦＤＭ信号を受信する場合、第２閾値設定部２８は、一例として、サブキャリア信号毎に、検出部２６が検出した変調方式に応じた第２閾値を設定してよい。
【００２８】
第２除去部３０は、第１除去部２４が出力する複数の復調信号のそれぞれにおける各観測値から、同相成分および直交成分を直交座標上に表した場合において、原点からの距離が検出部が検出した変調方式に対応して予め設定された第２閾値未満となる観測値を除去して出力する。例えば当該受信装置１０がＯＦＤＭ信号を受信する場合、第２除去部３０は、複数のサブキャリア信号から復調された複数の復調信号毎に、原点からの距離が第２閾値未満となる観測値を除去して出力してよい。第２除去部３０は、原点からの距離が第２閾値未満となる観測値を除去することにより、電子デバイス１００から変調信号が出力されていない期間における復調信号の観測値を除去することができる。例えば、当該受信装置１０がＯＦＤＭ信号を受信する場合、第２除去部３０は、複数のサブキャリア信号のうち出力が停止している一部のサブキャリア信号から復調された観測値を、除去することができる。
【００２９】
なお、受信装置１０は、第１除去部２４および第２除去部３０の二段階で、直交座標上における原点からの距離が所定の範囲内の観測値を除去する。従って、第２除去部３０による除去範囲を定める第２閾値は、第１除去部２４による除去範囲を定める第１閾値以上であってよい。
【００３０】
格納部３２は、複数のベースバンド信号のうち同一の変調方式により変調されるベースバンド信号の組を、ベースバンド周期毎に予め格納する。電子デバイス１００から出力される複数の変調信号の変調方式が任意の期間毎に切り替えられる場合、格納部３２は、各期間における同一の変調方式により変調されるサブキャリア信号の組を、予め格納してよい。
【００３１】
判定部３４は、第２除去部３０が出力する複数の復調信号のそれぞれにおける各観測値に基づいて、複数の変調方式の品質を判定する。受信装置１０がＯＦＤＭ信号を受信する場合、判定部３４は、一例として、複数のサブキャリア信号から復調された複数の復調信号のそれぞれについて、シンボル毎に、検出部２６により検出された変調方式における各理想信号点（すなわち、検出された変調方式における理想的なコンスタレーション）のうち、復調信号の観測値との距離が短い１つの理想信号点を選択する。例えば、検出部２６により６４ＱＡＭが検出された場合には、判定部３４は、６４個の理想信号点のうち、観測値との距離が短い１つの理想信号点を選択する。そして、判定部３４は、選択した理想信号点と、復調信号の観測値との距離差を複数シンボルにわたり累積し、累積値に応じた値を当該復調信号についての品質値として出力する。また、これに代えて、判定部３４は、期待値データを予め記憶しておき、選択した理想信号点に対応するデータ値と期待値データとを比較して、比較結果を品質値として出力してもよい。
【００３２】
ここで、判定部３４が品質を判定する復調信号は、第２除去部３０によって、電子デバイス１００から変調信号が出力されていない期間における復調信号の観測値が除去されている。すなわち、判定部３４は、ノイズとなる観測値が除去された復調信号に基づき、品質を判定する。従って、検出部２６は、精度よく品質を判定することができる。
【００３３】
さらに、判定部３４は、一例として、同一の変調方式により変調されるベースバンド信号の組に対応する複数の復調信号の各観測値に基づいて、同一の変調方式により変調された２以上の変調信号の品質を判定してよい。判定部３４は、一例として、格納部３２に格納されている情報を読み出して、同一の変調方式により変調されるベースバンド信号の組を判断し、組毎に変調信号の品質を判定してよい。例えば、判定部３４は、複数のサブキャリア信号に変調された複数の変調信号を、ＢＰＳＫ、ＱＰＳＫ、１６ＱＡＭおよび６４ＱＡＭ毎にグループ化し、グループ化した変調信号毎に品質を判定してよい。
【００３４】
このような構成の受信装置１０によれば、複数のサブキャリア信号により変調された複数の変調信号のうちの一部に信号が出力されない期間を含んでいても、正確に変調方式を検出することができる。さらに、このような構成の受信装置１０によれば、復調信号の品質を精度よく判定することができる。
【００３５】
なお、受信装置１０は、複数のベースバンド信号を複数のサブキャリア信号により変調した複数の変調信号を受信することに代えて、単一のベースバンド信号を単一のキャリア信号により変調した変調信号を受信してもよい。この場合も、受信装置１０は、ベースバンド信号がキャリア信号に対して変調されない期間における観測値を除去することができるので、正確に変調方式を検出することができ、さらに、復調信号の品質を精度よく判定することができる。
【００３６】
図２は、変調方式がＱＰＳＫである場合に設定される第２閾値の第１例を示す。図３は、変調方式が１６ＱＡＭである場合に設定される第２閾値の第１例を示す。
【００３７】
第２閾値設定部２８は、一例として、検出部２６が検出した変調方式において、各信号値に対応する直交座標上の各信号点を中心として最も近い他の信号点との間の距離の１／２を半径とする円を設けた場合に、原点を中心して他の円と交わらない最大の円の半径を当該変調方式の第２閾値として設定してよい。より具体的には、第２閾値設定部２８は、図２および図３に示すように、検出部２６が検出した変調方式における各信号値に対応する直交座標上の各理想信号点５０を中心として、最も近い他の理想信号点５０との間の距離Ｌの１／２を半径とする複数の第１円５２を設ける。ここで、当該第１円５２は、電子デバイス１００から受信された変調信号の観測値が、中心の理想信号点５０に対応する信号値と判断される範囲を表している。続いて、第２閾値設定部２８は、直交座標上の原点５４を中心として他の第１円５２と交わらない最大の第２円５６を設ける。そして、第２閾値設定部２８は、当該最大の第２円５６の半径を、当該変調方式の第２閾値として設定してよい。
【００３８】
これにより、第２閾値設定部２８は、電子デバイス１００から受信された観測値がいずれかの理想信号点５０に対応する信号値である判断される領域（第１円５２）を除いた最大の第２円５６を、第２閾値として設定することができる。よって、第２閾値設定部２８は、より広い範囲に含まれる観測値を除去することができ、この結果、変調信号の品質をより確実に判定することができる。
【００３９】
図４は、変調方式がＱＰＳＫである場合に設定される第２閾値の第２例を示す。図５は、変調方式が１６ＱＡＭである場合に設定される第２閾値の第２例を示す。
【００４０】
第２閾値設定部２８は、一例として、検出部２６が検出した変調方式において、各信号値に対応する直交座標上の各信号点、および、原点を中心として、同一半径の円を設けた場合に、いずれの円も交わらない最大の半径を当該変調方式の第２閾値として設定してよい。
【００４１】
より具体的には、第２閾値設定部２８は、図４および図５に示すように、検出部２６が検出した変調方式における各信号値に対応する直交座標上の各理想信号点５０を中心とした複数の第３円５８、および、直交座標上の原点５４を中心とした第４円６０を設ける。この場合において、第２閾値設定部２８は、各第３円５８および第４円６０のそれぞれの半径を同一とし、さらに、隣接する他の第３円５８および第４円６０と交わらない最大の値に設定する。そして、第２閾値設定部２８は、このように設定された場合における原点５４を中心とした第４円６０の半径を、当該変調方式の第２閾値として設定してよい。
【００４２】
これにより、第２閾値設定部２８は、電子デバイス１００から受信された観測値がいずれかの理想信号点５０に対応する信号値と判断される領域（第３円５８）と、変調信号が出力されていないと判断される領域（第４円６０）とを同じ大きさで設定した場合における、最大の第４円６０を第２閾値として設定することができる。よって、第２閾値設定部２８は、変調信号が出力されない期間が比較的に頻繁に発生する場合等において（すなわち、観測値が原点近傍の値となる確率が比較的に高い場合において）、変調信号の品質をより確実に判定することができる。
【００４３】
さらに、第１例および第２例のように第２閾値が設定される場合、第１除去部２４は、検出部２６が検出する複数の変調方式のそれぞれに対応する第２閾値のうち、最小の第２閾値と同じ値を第１閾値としてよい。これにより、第１除去部２４は、どの変調方式が検出された場合であっても第２除去部３０を通過することにより除去される観測値を、予め除去することができる。一例として、検出部２６が検出する複数の変調方式が、ＢＰＳＫ、ＱＰＳＫ、１６ＱＡＭのうち少なくとも１つと、６４ＱＡＭとからなる場合、第１除去部２４は、６４ＱＡＭに対応する閾値が最小の第２閾値となるので、６４ＱＡＭに対応する第２閾値を第１閾値としてよい。
【００４４】
図６は、変調方式を検出する場合において用いるＥＶＭ（Ｅｒｒｏｒ  Ｖｅｃｔｏｒ  Ｍａｇｎｉｔｕｄｅ）の一例を示す。
【００４５】
検出部２６は、一例として、複数の変調方式のそれぞれのうち、第１除去部２４が出力するそれぞれの観測値に対応する直交座標上の観測点と、当該変調方式における各信号値に対応する直交座標上の各信号点のうち観測点に最も近い信号点との間の距離に基づく誤差を最小とする変調方式を、変調信号の変調方式として検出してよい。検出部２６は、一例として、複数の変調方式のそれぞれについて式（１）に示すＥＶＭを算出し、ＥＶＭが最小となる変調方式を、変調信号の変調方式として検出してよい。
【００４６】
【数１】
2008028660.tif 000003
【００４７】
式（１）において、Ｘは、直交座標上における観測値に対応する信号点と、当該観測値に対応する信号点と最も近い理想信号点との距離（誤差）を表す。式（１）において、Ｒは、当該観測値に対応する信号点と最も近い理想信号点と、原点との距離（すなわち、理想信号点の大きさ）を表す。また、Ｘ、Ｒの下付け添え字は、観測値の順序を示し、Ｎは、変調方式を検出するために検出部２６が入力する複数の観測値の数を示す。
【００４８】
すなわち、式（１）に示すＥＶＭは、理想信号点の大きさＲに対する誤差Ｘの割合を二乗して、これを複数の観測点に亘って平均したものの平方根を示す。そして、検出部２６は、複数の変調方式のそれぞれについてＥＶＭを算出し、ＥＶＭが最小となる変調方式を、当該変調信号の変調方式として検出する。検出部２６は、一例として、ＢＰＳＫ、ＱＰＳＫ、１６ＱＡＭ、６４ＱＡＭのそれぞれについてＥＶＭを算出し、ＥＶＭが最小となる変調方式を、当該変調信号の変調方式として検出する。これにより、検出部２６によれば、正確に変調信号の変調方式を検出することができる。
【００４９】
図７は、本実施形態に係るコンピュータ１９００のハードウェア構成の一例を示す。本実施形態に係るコンピュータ１９００は、ホスト・コントローラ２０８２により相互に接続されるＣＰＵ２０００、ＲＡＭ２０２０、グラフィック・コントローラ２０７５、及び表示装置２０８０を有するＣＰＵ周辺部と、入出力コントローラ２０８４によりホスト・コントローラ２０８２に接続される通信インターフェイス２０３０、ハードディスクドライブ２０４０、及びＣＤ−ＲＯＭドライブ２０６０を有する入出力部と、入出力コントローラ２０８４に接続されるＲＯＭ２０１０、フレキシブルディスク・ドライブ２０５０、及び入出力チップ２０７０を有するレガシー入出力部とを備える。
【００５０】
ホスト・コントローラ２０８２は、ＲＡＭ２０２０と、高い転送レートでＲＡＭ２０２０をアクセスするＣＰＵ２０００及びグラフィック・コントローラ２０７５とを接続する。ＣＰＵ２０００は、ＲＯＭ２０１０及びＲＡＭ２０２０に格納されたプログラムに基づいて動作し、各部の制御を行う。グラフィック・コントローラ２０７５は、ＣＰＵ２０００等がＲＡＭ２０２０内に設けたフレーム・バッファ上に生成する画像データを取得し、表示装置２０８０上に表示させる。これに代えて、グラフィック・コントローラ２０７５は、ＣＰＵ２０００等が生成する画像データを格納するフレーム・バッファを、内部に含んでもよい。
【００５１】
入出力コントローラ２０８４は、ホスト・コントローラ２０８２と、比較的高速な入出力装置である通信インターフェイス２０３０、ハードディスクドライブ２０４０、ＣＤ−ＲＯＭドライブ２０６０を接続する。通信インターフェイス２０３０は、ネットワークを介して他の装置と通信する。ハードディスクドライブ２０４０は、コンピュータ１９００内のＣＰＵ２０００が使用するプログラム及びデータを格納する。ＣＤ−ＲＯＭドライブ２０６０は、ＣＤ−ＲＯＭ２０９５からプログラム又はデータを読み取り、ＲＡＭ２０２０を介してハードディスクドライブ２０４０に提供する。
【００５２】
また、入出力コントローラ２０８４には、ＲＯＭ２０１０と、フレキシブルディスク・ドライブ２０５０、及び入出力チップ２０７０の比較的低速な入出力装置とが接続される。ＲＯＭ２０１０は、コンピュータ１９００が起動時に実行するブート・プログラムや、コンピュータ１９００のハードウェアに依存するプログラム等を格納する。フレキシブルディスク・ドライブ２０５０は、フレキシブルディスク２０９０からプログラム又はデータを読み取り、ＲＡＭ２０２０を介してハードディスクドライブ２０４０に提供する。入出力チップ２０７０は、フレキシブルディスク・ドライブ２０５０や、例えばパラレル・ポート、シリアル・ポート、キーボード・ポート、マウス・ポート等を介して各種の入出力装置を接続する。
【００５３】
ＲＡＭ２０２０を介してハードディスクドライブ２０４０に提供されるプログラムは、フレキシブルディスク２０９０、ＣＤ−ＲＯＭ２０９５、又はＩＣカード等の記録媒体に格納されて利用者によって提供される。プログラムは、記録媒体から読み出され、ＲＡＭ２０２０を介してコンピュータ１９００内のハードディスクドライブ２０４０にインストールされ、ＣＰＵ２０００において実行される。
【００５４】
コンピュータ１９００にインストールされ、コンピュータ１９００を受信装置１０として機能させるプログラムは、復調モジュールと、正規化モジュールと、第１除去モジュールと、検出モジュールと、第２閾値モジュールと、第２除去モジュールと、格納モジュールと、判定モジュールとを備える。これらのプログラム又はモジュールは、ＣＰＵ２０００等に働きかけて、コンピュータ１９００を、復調部２０、正規化部２２、第１除去部２４、検出部２６、第２閾値設定部２８、第２除去部３０、格納部３２、判定部３４としてそれぞれ機能させる。
【００５５】
以上に示したプログラム又はモジュールは、外部の記憶媒体に格納されてもよい。記憶媒体としては、フレキシブルディスク２０９０、ＣＤ−ＲＯＭ２０９５の他に、ＤＶＤやＣＤ等の光学記録媒体、ＭＯ等の光磁気記録媒体、テープ媒体、ＩＣカード等の半導体メモリ等を用いることができる。また、専用通信ネットワークやインターネットに接続されたサーバシステムに設けたハードディスク又はＲＡＭ等の記憶装置を記録媒体として使用し、ネットワークを介してプログラムをコンピュータ１９００に提供してもよい。
【００５６】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００５７】
【図１】本発明の実施形態に係る受信装置１０の構成を電子デバイス１００とともに示す。
【図２】変調方式がＱＰＳＫである場合に設定される第２閾値の第１例を示す。
【図３】変調方式が１６ＱＡＭである場合に設定される第２閾値の第１例を示す。
【図４】変調方式がＱＰＳＫである場合に設定される第２閾値の第２例を示す。
【図５】変調方式が１６ＱＡＭである場合に設定される第２閾値の第２例を示す。
【図６】変調方式を検出する場合において用いるＥＶＭの一例を示す。
【図７】本発明の実施形態に係るコンピュータ１９００のハードウェア構成の一例を示す。
【図８】サブキャリアの変調方式が所定シンボル毎に切り替る場合における、サブキャリアの変調方式の一例を示す。
【符号の説明】
【００５８】
１０  受信装置
２０  復調部
２２  正規化部
２４  第１除去部
２６  検出部
２８  第２閾値設定部
３０  第２除去部
３２  格納部
３４  判定部
５０  理想信号点
５２  第１円
５４  原点
５６  第２円
５８  第３円
６０  第４円
１００  電子デバイス
１９００  コンピュータ
２０００  ＣＰＵ
２０１０  ＲＯＭ
２０２０  ＲＡＭ
２０３０  通信インターフェイス
２０４０  ハードディスクドライブ
２０５０  フレキシブルディスク・ドライブ
２０６０  ＣＤ−ＲＯＭドライブ
２０７０  入出力チップ
２０７５  グラフィック・コントローラ
２０８０  表示装置
２０８２  ホスト・コントローラ
２０８４  入出力コントローラ
２０９０  フレキシブルディスク
２０９５  ＣＤ−ＲＯＭ
【図１】
2008028660.tif 000004
【図２】
2008028660.tif 000005
【図３】
2008028660.tif 000006
【図４】
2008028660.tif 000007
【図５】
2008028660.tif 000008
【図６】
2008028660.tif 000009
【図７】
2008028660.tif 000010
【図８】
2008028660.tif 000011